(57)【特許請求の範囲】
【請求項１】
建物の上階からの床衝撃音に対する防音性能向上を図る天井制振構造であって、
天井の内装下地材としての天井パネルが、下階天井部に少なくとも２つ以上設けられ、
該天井パネルどうしが、天井パネルの外周枠体どうしを連結するように、天井パネルの外周枠体の上面に貼付された、拘束層を形成する鋼板と制振材の２層構造からなる拘束型制振材によってのみ連結されており、
天井パネル間の相対変位を拘束型制振材の剛性により拘束するとともに、
拘束型制振材の変形により、天井パネル間の相対変位によるエネルギーを吸収することを特徴とする天井パネル制振構造。
【請求項２】
前記天井パネルが鋼製である請求項１に記載の天井パネル制振構造。
【発明の詳細な説明】
【技術分野】
【０００１】
本発明は、建物の上階から下階へ伝わる床衝撃音の性能向上を図る天井パネルの制振構造に関する。
【背景技術】
【０００２】
建物、特に戸建て住宅や低層の集合住宅では、上階での床の衝撃による振動が下階に伝わり、衝撃音となって下階での居住性に影響を与える。そこで、床衝撃音性能の向上を図るために、天井の重量を重くしたり、天井部に吸音材を設けたり、天井仕上げ材の下地材となる天井パネルを防振吊構造とするなどさまざまな工法が提案されている。
【先行技術文献】
【特許文献】
【０００３】
【特許文献１】特開２００９−２７０２８６号公報
【発明の概要】
【発明が解決しようとする課題】
【０００４】
特に、天井の下地材として、軽量の鋼材からなる軽鉄天井パネルを用いる場合、それぞれの軽鉄天井パネルが梁に吊り材により支持されていても、それぞれの軽鉄天井パネル間の拘束は弱く、上階の床に衝撃が加わった場合、その衝撃は床や梁、吊り材を介して軽鉄天井パネルに伝わり、それぞれの軽鉄天井パネルがばらばらに振動することにより、下階へ音を放射してしまう。
【０００５】
本発明は、以上のような問題点に鑑み、天井の内装下地材としての天井パネルが設けられている建物において、上階からの床衝撃音の伝達を抑制することができる天井パネル制振構造を提供することを課題とする。
【課題を解決するための手段】
【０００６】
上記の課題は、建物の上階からの床衝撃音に対する防音性能向上を図る天井制振構造であって、天井の内装下地材としての天井パネルが、下階天井部に少なくとも２つ以上設けられ、該天井パネルどうしが拘束型制振材によって連結されており、天井パネル間の相対変位を拘束型制振材の剛性により拘束するとともに、拘束型制振材の変形により、天井パネル間の相対変位によるエネルギーを吸収することを特徴とする天井パネル制振構造により解決される。
【０００７】
本天井パネル制振構造では、下階天井部に少なくとも２つ以上設けられた天井の内装下地材としての天井パネルどうしが、拘束型制振材によって連結されているので、天井パネル間の相対変位を拘束型制振材の剛性により拘束することができ、それぞれの天井パネルどうしがばらばらに振動することを抑制でき、上階での衝撃による振動が下階へ伝わることを抑制することができる。また、それぞれの天井パネルを拘束型制振材により拘束することで、天井パネル単体では軽い部材であっても、隣り合う天井パネルどうしを連結することによって、天井パネル全体として大型の重量物とすることができ、上階で発生した床への衝撃による振動が天井パネルへと伝達することをさらに、抑制することができる。
【０００８】
また、天井パネル間で発生する相対変位による運動エネルギーを、拘束型制振材の変形により熱エネルギーに変換することで、天井パネルの相対変位を抑制することができ、上階で発生した床への衝撃による振動が天井パネルへと伝達することをさらに、抑制することができる。
【０００９】
つまり、本発明は、天井下地材としての天井パネルどうしを拘束型制振材により連結することにより、拘束型制振材の剛性により天井パネル間の相対変位を拘束するとともに、天井パネル間が相対変位した場合でも、拘束型制振材の制振機能により、その変位量を抑制することができる。
【００１０】
上記の天井パネル制振構造において、天井パネルが鋼製であるとよい。
【００１１】
天井パネルが鋼製である場合、特に天井パネルが軽量の鋼材からなる軽鉄天井パネルである場合、隣り合う天井パネルを釘やビス等で連結できる木製の天井パネルと異なり、隣り合う天井パネルどうしを一体的に連結することが困難であるにもかかわらず、拘束型制振材を用いて天井パネルどうしを連結することで天井パネルどうしを一体とすることができる。
【００１２】
さらに、拘束型制振材が、拘束層を形成する鋼板と制振材の２層構造からなっているとよい。
【００１３】
鋼板と制振材からの２層構造という簡易な構造である拘束型制振材を用いてこの天井パネル制振構造が実現できるため、コスト的に有利に実現することができる。また、拘束型制振材の天井パネルへの取付けを制振材の粘着性によって実現する場合には、さらに拘束型制振材の天井パネルへの取り付けのために他の材料を用いる必要がなく、よりコスト的に有利に実現することができる。
【発明の効果】
【００１４】
本発明は以上のとおりであるから、天井の内装下地材としての天井パネルが設けられている建物において、上階からの床衝撃音の伝達を抑制することができる天井パネル制振構造を実現することができる。
【図面の簡単な説明】
【００１５】
【図１】図（イ）は、本発明の実施形態である天井パネルの制振構造を示す側面図、図（ロ）、（ハ）は、それぞれ、図（イ）のＡ−Ａ線断面正面図、Ｂ−Ｂ線断面正面図である。
【図２】図（イ）は、天井パネルの構成を示す平面図、図（ロ）は、図（イ）のＣ−Ｃ線断面正面図である。
【図３】図（イ）は、天井パネルを拘束型制振材で一体化した状態を示す平面図、図(ロ)は、拘束型制振材を示す断面図である。
【図４】図（イ）、（ロ）は、上階から振動が伝わったときの、本制振構造の稼動状況を示す断面正面図である。
【図５】図（イ−１）、（イ−２）は、それぞれ、本発明の第２の実施形態である天井パネルの制振構造の断面正面図、拘束型制振材の断面図であり、図（ロ−１）、（ロ−２）は、それぞれ、本発明の第３の実施形態である天井パネルの制振構造の断面正面図、拘束型制振材の断面図である。
【発明を実施するための形態】
【００１６】
次に、本発明の実施形態を図面に基づいて説明する。
【００１７】
図１に示す本発明の実施形態である天井パネルの制振構造１において、２は天井パネル、３は拘束型制振材、４は建物の２階床を支持する梁、５はＡＬＣ材からなる床材、６は床仕上げ材である。
【００１８】
天井パネル２は、図２に示すように、四周を断面コの字型の溝型薄鋼材を、溝部を内向きにして組み合わされ、内部には薄鋼材からなる縦材と横材が井桁状に組み込まれている。
【００１９】
天井パネル２は、梁４‥に取り付けられた天井パネル吊治具７に、隣り合う天井パネル２，２どうしを半固定状態に連結して梁４‥に吊り下げて固定される。なお、天井パネル吊治具７は、図１（ロ）、（ハ）に示すように、天井パネル２の外周枠体に沿って、間隔を空けて設けられる。
【００２０】
天井パネル２‥の裏面には、図１（ロ）、図３（イ）に示すように、天井パネルの外周枠体どうしを連結するように拘束型制振材３が貼付されている。拘束型制振材３は、図３（ロ）に示すように、薄型鋼板３ａと制振材３ｂの２層からなる。制振材３ｂとして、例えばブチルゴム系の自己接着性のある材料が用いられ、制振材３の自己接着性機能により、薄型鋼板３ａと制振材３ｂが一体化されるとともに、天井パネル２と外周枠体に拘束型制振材３を固定することができる。
【００２１】
天井パネル２‥の表面には、天井材としての石膏ボード８が、隣り合う天井パネル２，２を連結するように、順次天井パネル２‥と石膏ボード８‥の取り付け位置をずらしながら貼られ、さらに天井仕上げ材としてクロス９が貼られている。また、天井パネル２，２は、天井パネル吊治具７によって、隣り合う天井パネル２どうしが半固定状態に連結されて梁４に吊り下げて固定されるとともに、表面には、石膏ボード８により連結されているが、天井パネル２，２どうしを拘束型制振材３により連結することにより、より一層天井パネル２どうしを拘束し一体化させることができる。
【００２２】
図４に示すように、上階の床に衝撃が加わり、その振動が天井パネル２に伝わっても、天井パネル２どうしが、拘束型制振材３で連結されているため、上階からの衝撃に対して、隣り合う天井パネル２がそれぞればらばらに振動することが抑制でき、上階での衝撃による振動が下階へ伝わることを抑制することができる。また、それぞれの天井パネルを拘束型制振材により拘束することで、天井パネル全体として大型の重量物とすることができ、上階で発生した床への衝撃による振動が天井パネルへと伝達することをさらに、抑制することができる。
【００２３】
また、上階の床に衝撃が加わり、その振動が天井パネル２に伝わることで、隣り合う天井パネル２，２に相対的に変位する場合でも、天井パネル間で発生する相対変位による運動エネルギーを、拘束型制振材の変形により熱エネルギーに変換することで、天井パネルの相対変位を抑制することができ、上階で発生した床への衝撃による振動が天井パネルへと伝達することをさらに抑制することができる。
【００２４】
図５（イ−１）、（イ−２）に示す本発明の第２の実施形態である天井パネルの制振構造２１では、拘束型制振材２３が、薄型鋼板２３ａの両面に制振材２３ｂ，２３ｂが貼付されて構成されており、天井パネル２，２の外周枠体の側面にそれぞれ制振材２３ｂ，２３ｂの自己接着性により取り付けられ、天井パネル２どうしが拘束型制振材２３により、一体化されている。
【００２５】
また、図５（ロ−１）、（ロ−２）に示す本発明の第３の実施形態である天井パネルの制振構造３１では、拘束型制振材３３が、ベース部とベース部から突出する挿設部からなる断面視Ｔ字型の薄型鋼材３３ａのベース部と挿設部により構成されるコーナー部にそれぞれ制振材３３ｂ，３３ｂがＬ字状に貼付されて構成されており、天井パネル２，２の外周枠体の側面に挿設部を挿入させ、外周枠体の角部を覆うように、それぞれ制振材３３ｂ，３３ｂの自己接着性により取り付けられ、天井パネル２どうしが拘束型制振材３３により、一体化されている。
【００２６】
天井パネルの制振構造２１，３１ともに、天井パネル２，２どうしを拘束型制振材３により連結することにより、天井パネル２どうしを拘束し一体化させることができ、上階からの衝撃に対して、隣り合う天井パネル２がそれぞればらばらに振動することが抑制でき、さらに、隣り合う天井パネル２，２に相対的に変位する場合でも、天井パネル間で発生する相対変位による運動エネルギーを、拘束型制振材の変形により熱エネルギーに変換することで、天井パネルの相対変位を抑制することができ、上階で発生した床への衝撃による振動が天井パネルへと伝達することをさらに、抑制することができる。
【００２７】
以上に、本発明の実施形態を示したが、本発明はこれに限られるものではなく、発明思想を逸脱しない範囲で各種の変更が可能である。例えば、上記の実施形態では、鋼製の天井パネルに適用した場合について示したが、相互にビスや釘等により連結される木製の天井パネルに適用し、より強固に天井パネルを一体化するとともに、天井パネルどうしの相対変位による運動エネルギーを熱エネルギーに変換し、天井パネルの相対変位を抑制するようにしてもよい。
【符号の説明】
【００２８】
１，２１，３１・・・天井パネルの制振構造
２・・・天井パネル
３，２３，３３・・・拘束型制振材
３ａ，２３ａ，３３ａ・・・薄型鋼板（薄型鋼材）
３ｂ，２３ｂ，３３ｂ・・・制振材
４・・・梁
５・・・床材
６・・・床仕上げ材
７・・・天井パネル吊治具
８・・・石膏ボード
９・・・クロス
【図１】
0005620156.tif 000002
【図２】
0005620156.tif 000003
【図３】
0005620156.tif 000004
【図４】
0005620156.tif 000005
【図５】
0005620156.tif 000006